(57)【要約】【課題】タブ付きの蓋材で密封された、カップ型容器において、タブがつまみやすく、また、開封においても、蓋材とカップ型容器本体とのシール強度を妨げることなく、より小さな力で開封可能な、易開封機能つきカップ型容器を提供することを課題とする。【解決手段】蓋材と容器本体とからなるカップ型容器において、容器本体は、開口部を有しており、開口部は、シール部を、その周縁部に有しており、蓋材は開口部とその周縁部とを覆っており、蓋材と容器本体とは、この周縁部でシールされて、カップ型容器は密封されており、開口部は、その一部に、切り欠き状の凹みを有しており、蓋材は、この切り欠き状の凹みの部分で、シール部から容器外側に突き出したタブを有しており、突き出したタブには、穴があるか、もしくは穴あけ可能な加工が施してあることを特徴とする、易開封機能つきカップ型容器である。【選択図】図１
2020075724.tif 000002
【特許請求の範囲】
【請求項１】
蓋材と容器本体とからなるカップ型容器において、
容器本体は、開口部を有しており、
開口部は、シール部を、その周縁部に有しており、
蓋材は、開口部とその周縁部とを覆っており、
蓋材と容器本体とは、この周縁部でシールされて、カップ型容器は密封されており、
開口部は、その一部に、切り欠き状の凹みを有しており、
蓋材は、この切り欠き状の凹みの部分で、シール部から容器外側に突き出したタブを有しており、
突き出したタブには、穴があるか、もしくは穴あけ可能な加工が施してあることを特徴とする、易開封機能つきカップ型容器。
【請求項２】
前記開口部の形状は四角形であり、四隅の内１以上の隅に切り欠き状の凹みを有することを特徴とする、請求項１に記載の易開封機能つきカップ型容器。
【請求項３】
前記蓋材の、容器本体側には、イージーピールフィルム層が設けられてシールされていることを特徴とする、請求項１または請求項２に記載の易開封機能つきカップ型容器。
【請求項４】
前記開口部の、切り欠き状の凹みを有していない部分において、シール部から容器外側に突き出したタブを有していることを特徴とする、請求項１〜請求項３のいずれかに記載の易開封機能つきカップ型容器。
【請求項５】
前記開口部の、切り欠き状の凹みを有していない部分において、一部のシール幅が他の周縁部分のシール幅より広くなっていることを特徴とする、請求項１〜請求項４のいずれかに記載の易開封機能つきカップ型容器。
【請求項６】
前記蓋材は、金属箔もしくは無機化合物の蒸着層からなるガスバリア層を含む、層構成であることを特徴とする、請求項１〜請求項５のいずれかに記載の易開封機能つきカップ型容器。
【請求項７】
前記容器本体は、ガスバリア層を層構成に含むか、もしくは表面に設けてあることを特徴とする請求項１〜請求項６のいずれかに記載の易開封機能つきカップ型容器。
【請求項８】
前記蓋材には、開封において容器本体から分離する部分と、シール部に残留する部分を分けるための、ミシン目または切れ目が設けてあることを特徴とする、請求項１〜請求項７のいずれかに記載の易開封機能つきカップ型容器。
【請求項９】
前記ミシン目または切れ目は、ハーフカットで設けてあることを特徴とする、請求項８に記載の易開封機能つきカップ型容器。
【発明の詳細な説明】
【技術分野】
【０００１】
本発明は、容器に関するものである。特に蓋付きのカップ型容器において、蓋を開けて内容物を露出させ取り出しをしようとする際に、より容易に開封できる、易開封機能つきカップ型容器に関するものである。
【背景技術】
【０００２】
たとえば、紙やプラスチックを素材とした、カップ型容器に食品が充填されていて、開口部は、紙やプラスチックフィルムを素材とした蓋でシール、密封された商品は、その利便性、経済性から、さまざまなものが商品として、小売店、コンビニエンスストアなどの棚を賑わわしている。
【０００３】
カップ型容器について食品を例にとれば、たとえば、カップ包装として、味噌のカップ包装があり、ヨーグルト、ゼリーやプリンなどのデザート類のためのアセプティック包装、また米飯の保存、加熱調理が可能な無菌包装、あるいはカップラーメンのカップ包装などがある。
【０００４】
そのほかにもシリンジなどの医療関連や、インクカートリッジ、トナー容器等の工業製品、あるいはウエットティッシュや洗剤などのトイレタリー用品など、多種多様な分野で商品化されており、カップ型容器は、現代の日常生活には欠くことのできない存在となっている。
【０００５】
これらは多くの場合、保存中は密封状態の維持が求められ、内容物を取り出したい場合には、蓋を容易に開封できることが望まれる。このような一見して二律背反とも言える要求に応えて、イージーピール包装技法が発達してきた。
【０００６】
一方で、より便利さを求める消費者の増加、あるいは高齢化社会の到来に伴って、より扱い易く、開封などにも大きな力を必要としない、易開封に対するニーズ、所謂バリアフリーニーズも高まっている。
【０００７】
これに対して、特許文献１には、カップ型容器に蓋ヒートシールして密封する容器において、蓋材にタブを設けて、タブから内側に延びる切れ目を設けた蓋が提案されている。しかしながらこの方法では、蓋の開封は部分開封にとどまり、一回の開封作業ではカップ型容器の開口部全体を開封することはできなかった。
【先行技術文献】
【特許文献】
【０００８】
【特許文献１】公開実用新案昭６２−２０３８５８号公報
【発明の概要】
【発明が解決しようとする課題】
【０００９】
本発明は、かかる状況に鑑みてなされたものであり、タブ付きの蓋材で密封された、カップ型容器において、タブがつまみやすく、また、開封においても、蓋材とカップ型容器本体とのシール強度を妨げることなく、より小さな力で開封可能な、易開封機能つきカップ型容器を提供することを課題とする。
【課題を解決するための手段】
【００１０】
上記の課題を解決するための手段として、請求項１に記載の発明は、
蓋材と容器本体とからなるカップ型容器において、
容器本体は、開口部を有しており、
開口部は、シール部を、その周縁部に有しており、
蓋材は、開口部とその周縁部とを覆っており、
蓋材と容器本体とは、この周縁部でシールされて、カップ型容器は密封されており、
開口部は、その一部に、切り欠き状の凹みを有しており、
蓋材は、この切り欠き状の凹みの部分で、シール部から容器外側に突き出したタブを有しており、
突き出したタブには、穴があるか、もしくは穴あけ可能な加工が施してあることを特徴とする、易開封機能つきカップ型容器である。
【００１１】
また請求項２に記載の発明は、
前記開口部の形状は四角形であり、四隅の内１以上の隅に切り欠き状の凹みを有することを特徴とする、請求項１に記載の易開封機能つきカップ型容器である。
【００１２】
また請求項３に記載の発明は、
前記蓋材の、容器本体側には、イージーピールフィルム層が設けられてシールされていることを特徴とする、請求項１または請求項２に記載の易開封機能つきカップ型容器である。
【００１３】
また、請求項４に記載の発明は、
前記開口部の、切り欠き状の凹みを有していない部分において、シール部から容器外側に突き出したタブを有していることを特徴とする、請求項１〜請求項３のいずれかに記載の易開封機能つきカップ型容器である。
【００１４】
また、請求項５に記載の発明は、
前記開口部の、切り欠き状の凹みを有していない部分において、一部のシール幅が他の周縁部分のシール幅より広くなっていることを特徴とする、請求項１〜請求項４のいずれかに記載の易開封機能つきカップ型容器である。
【００１５】
また、請求項６に記載の発明は、
前記蓋材は、金属箔もしくは無機化合物の蒸着層からなるガスバリア層を含む、層構成であることを特徴とする、請求項１〜請求項５のいずれかに記載の易開封機能つきカップ型容器である。
【００１６】
また、請求項７に記載の発明は、
前記容器本体は、ガスバリア層を層構成に含むか、もしくは表面に設けてあることを特徴とする請求項１〜請求項６のいずれかに記載の易開封機能つきカップ型容器である。
【００１７】
また、請求項８に記載の発明は、
前記蓋材には、開封において容器本体から分離する部分と、シール部に残留する部分を分けるための、ミシン目または切れ目が設けてあることを特徴とする、請求項１〜請求項７のいずれかに記載の易開封機能つきカップ型容器である。
【００１８】
また、請求項９に記載の発明は、
前記ミシン目または切れ目は、ハーフカットで設けてあることを特徴とする、請求項８に記載の易開封機能つきカップ型容器である。
【発明の効果】
【００１９】
本発明によれば、タブ付きの蓋材で密封された、カップ型容器において、タブがつまみ
やすく、また、開封においても、蓋材とカップ型容器本体とのシール強度を妨げることなく、より小さな力で開封可能な、易開封機能つきカップ型容器を提供することが可能である。
【００２０】
すなわち、開口部は、一部に切り欠き状の凹みを有しており、蓋材は、この切り欠き状の凹みの部分で、シール部から容器外側に突き出したタブを有していることによって、タブを手指でつまみやすくなる効果がある。
【００２１】
また、シール部から容器外側に突き出したタブには、穴が設けてあるか、もしくは穴あけ可能な加工が施してあることによって、棒状のもの、たとえば箸やスプーンの柄などを穴に差込んで、蓋材を引き開けることが可能になり、小さな力でも容易に開封が可能である。
【００２２】
また、特に請求項２に記載の発明によれば、タブ付きの蓋材で密封された、カップ型容器において、タブがつまみやすく、また、開封においても、蓋材とカップ型容器本体とのシール強度を妨げることなく、より小さな力で開封可能な、易開封機能つきカップ型容器を四角形状において実現し提供することが可能である。
【００２３】
それに加えて、四角形状の容器は、内容物を効率的に収納できるために、利便性が高く、また、容器としても輸送効率が高いなどの利点があり、一般的にも使用される頻度が高い。したがって、四角形の形状において、本発明を実現することは、より幅広い商品展開を可能にすることに繋がる。
【００２４】
また、特に請求項３に記載の発明によれば、蓋材の容器本体側には、イージーピールフィルム層が設けられてシールされていることによって、より小さな力で開封可能な、易開封機能つきカップ型容器を提供することが可能である。
【００２５】
すなわち、保存中は密封状態の維持が求められ、内容物を取り出したい場合には、蓋を容易に開封できることが望まれる、一見して二律背反とも言える要求にもイージーピールフィルムによるシールで対応することが可能になる。
【００２６】
また特に請求項４に記載の発明によれば、切り欠き状の凹みを有していない部分において、シール部から容器外側に突き出した小タブを有していることによって、本発明に係るタブによって、より小さな力で開封可能な、易開封機能つきカップ型容器を提供することが可能であるとともに、小タブによって従来の開封方法を選択することが可能であり、多様性に富んだ容器とすることが可能である。
【００２７】
また特に請求項５に記載の発明によれば、切り欠き状の凹みを有していない部分において、一部のシール幅が他の周縁部分のシール幅より広くなっていることが特徴である。
【００２８】
たとえば四角形の容器の場合、開口部の四隅の内、切り欠き状の凹みの部分で容器外側に突き出したタブを有していない隅において、密封のためのシール部が四角形の四辺のシール幅より広くなって三角形状になっていることによって、開封に際して、シール幅の広い部分を容器本体の押さえスポットとして用い、開封をより容易で、安定したものとすることが可能になる。
【００２９】
また特に請求項６に記載の発明によれば、蓋材は、金属箔もしくは無機化合物の蒸着層からなるガスバリア層を含む、層構成であることによって、内容物の保存性を高めたり、外部環境による変質を防止するなどの機能を付与することが可能である。
【００３０】
また特に請求項７に記載の発明によれば、容器本体は、ガスバリア層を層構成に含むか、もしくは表面に設けてあることによって、内容物の保存性を高めたり、外部環境による変質を防止するなどの機能を付与することが可能である。
【００３１】
また特に請求項８に記載の発明によれば、蓋材には、開封において容器本体から分離する部分と、シール部に残留する部分を分けるための、ミシン目または切れ目が設けてあることによって、蓋材とカップ型容器本体とのシール強度を妨げることなく、より小さな力で開封可能な、易開封機能つきカップ型容器を提供することが可能である。
【００３２】
すなわち、シールに残留する部分を、開封に際しての押さえスポットとして利用することが可能であり、開封をより容易で、安定したものとすることが可能になる。
【００３３】
また特に請求項９に記載の発明によれば、開封において容器本体から分離する部分と、シール部に残留する部分を分けるための、ミシン目または切れ目がハーフカットで設けてあることによって、ガスバリア性に影響を与えることなく、また蓋材とカップ型容器本体とのシール強度を妨げることなく、より小さな力で開封可能な、易開封機能つきカップ型容器を提供することが可能である。
【００３４】
すなわち、シールに残留する部分を、開封に際しての押さえスポットとして利用することが可能であり、開封をより容易で、安定したものとすることが可能になる。
【図面の簡単な説明】
【００３５】
【図１】図１は本発明に係る易開封機能つきカップ型容器の一実施態様を説明するための斜視模式図である。
【図２】図２は、本発明に係る易開封機能つきカップ型容器の一実施態様の、開封途中の状態を説明するための斜視模式図である。
【図３】図３は本発明に係る易開封機能つきカップ型容器の他の実施態様のうち、容器本体が四角形である例を説明するための斜視模式図である。
【図４】図４は本発明に係る易開封機能つきカップ型容器の他の実施態様のうち、容器本体が四角形である例の、またタブが異なる形態の例の、密封した状態を説明するための斜視模式図である。
【図５】図５は本発明に係る易開封機能つきカップ型容器の他の実施態様のうち、容器本体が四角形である例の、開封作業の一例を説明するための斜視模式図である。
【図６】図６は本発明に係る易開封機能つきカップ型容器の他の実施態様のうち、容器本体が四角形である例の、開封した状態の一例を説明するための斜視模式図である。
【図７】図７は本発明に係る易開封機能つきカップ型容器の他の実施態様のうち、容器本体が四角形である例において、蓋材に切れ目を設けた例を説明するための斜視模式図である。
【図８】図８は本発明に係る易開封機能つきカップ型容器の一実施態様のうち、容器本体が四角形である例において、蓋材にハーフカットの切れ目を設けた例を説明するための斜視模式図である。
【発明を実施するための形態】
【００３６】
以下、本発明を図１〜図８を参照しながら、更に詳しい説明を加える。ただし本発明は、ここに示す例にのみ限定されるものではない。本発明は、請求項によって限定されるものである。
【００３７】
図１は本発明に係る易開封機能つきカップ型容器の一実施態様を説明するための斜視模式図である。
【００３８】
本発明はカップ型容器（１）であって、易開封機能を有し、蓋材（１０）と容器本体（２０）とからなる。図１に示す例においては、容器本体（２０）は外形が楕円形の形状であって、中央部が船型に凹んだ形状であり、したがって、開口部および蓋材（１０）もまた楕円形の形状である。
【００３９】
蓋材（１０）は、プラスチックフィルム、紙、金属箔などを単体または積層したもので構成することが可能である。プラスチックフィルムは、高分子樹脂組成物からなるフィルムであって、たとえばポリオレフィン（ポリエチレン、ポリプロピレン等）、ポリエステル（ポリエチレンテレフタレート、ポリブチレンテレフタレート、ポリエチレンナフタレート等）、ポリアミド（ナイロンー６、ナイロンー６６等）、ポリイミドなどが使用でき、用途に応じて適宜選択される。
【００４０】
特にポリプロピレン、ポリエチレンテレフタレートをプラスチックフィルムとする場合は、フィルム強度と価格においてより好ましい。そのほか延伸ポリアミドフィルムを用いる場合には、積層体に突き刺しに対する強靭性や、衝撃に対する強靭性を付与することができる。
【００４１】
またプラスチックフィルムは、接着剤層を介して他の層と積層して積層体とすることができる。積層体の層構成やその材料構成、厚さなどは、要求品質に応じて、また選択的な機能付与のために、適宜設計することができる。
【００４２】
蓋材（１０）と容器本体（２０）のシールは、たとえば蓋材（１０）の容器本体（２０）側の表面にシーラント層を設けてシールしてカップ型容器（１）を密封することができる。
【００４３】
シーラント層の材質としては、熱可塑性樹脂のうちポリオレフィン系樹脂が一般的に使用され、具体的には、低密度ポリエチレン樹脂（ＬＤＰＥ）、中密度ポリエチレン樹脂（ＭＤＰＥ）、直鎖状低密度ポリエチレン樹脂（ＬＬＤＰＥ）、エチレン−酢酸ビニル共重合体（ＥＶＡ）、エチレン−αオレフィン共重合体、エチレン−メタアクリル酸樹脂共重合体などのエチレン系樹脂や、ポリエチレンとポリブテンのブレンド樹脂や、ホモポリプロピレン樹脂（ＰＰ）、プロピレン−エチレンランダム共重合体、プロピレン−エチレンブロック共重合体、プロピレン−αオレフィン共重合体などのポリプロピレン系樹脂等を使用することができる。容器本体（２０）の材質などを考慮して、適宜選択することができる。
【００４４】
シーラント層の形成には、押出機などを用いて溶融した樹脂を製膜して、蓋材（１０）の積層体上に層形成することができる。あるいは、あらかじめフィルムの状態に製膜してある材料を、ラミネートによって積層することによって、蓋材（１０）の積層体の表面にシーラント層を形成することも可能である。
【００４５】
また、蓋材（１０）と容器本体（２０）とは、シール部（１９）で密封されているが、シーラント層として、蓋材（１０）の、容器本体（２０）側には、イージーピールフィルム層が設けられてシールされている形をとるのでもよい。
【００４６】
これは本発明が課題とするところの、タブ（１１）付きの蓋材（１０）で密封された、カップ型容器（１）において、タブ（１１）がつまみやすく、また、開封においても、蓋材（１０）とカップ型容器本体（２０）とのシール強度を妨げることなく、より小さな力で開封可能な、易開封機能つきカップ型容器（１）を提供することに関して、合目的的である。
【００４７】
すなわち、保存中は密封状態の維持が求められ、内容物を取り出したい場合には、蓋を容易に開封できることが望まれる、一見して二律背反とも言える要求にもイージーピールフィルムによるシールで対応することが可能になる。
【００４８】
イージーピールフィルムは、たとえばカップ型容器（１）の蓋材（１０）用に実用化され、各材料メーカーによって商品化されたものの中から、適宜選択して購入することか可能である。一方、容器本体（２０）側はたとえば、ポリスチレン、ポリエチレン、ポリプロピレン、非晶化ポリエチレンテレフタレート、などを対象にしており、幅広い。
【００４９】
またイージーピールフィルムの剥離機構に関しても、界面剥離タイプ、凝集剥離タイプ、層間剥離タイプなどがある。
【００５０】
一般に、界面剥離タイプは、剥離面が平滑で綺麗である点が特徴のひとつとされ、また凝集剥離タイプは、シールに際して挟雑物の影響を受けにくい点が特徴でとされ、層間剥離タイプは挟雑物の影響を受けにくいことに加えて、剥離強度が融着条件によらず一定して安定している点が特徴とされている。
【００５１】
したがって、剥離強度のほか、容器本体（２０）側の材質や、内容物、またその使用環境などによって、適宜選択して用いることができる。
【００５２】
また、本発明による易開封機能つきカップ型容器（１）の蓋材（１０）は、金属箔もしくは無機化合物の蒸着層からなるガスバリア層を含む層構成とすることができる。
【００５３】
これは、たとえば内容物の保存性を向上させることなどを目的として、プラスチックフィルムの表面にガスバリア層を設けてなるガスバリアフィルムを蓋材（１０）の層構成中に用いることができる。
【００５４】
あるいはアルミニウムなどの金属箔もガスバリア層として有効であるが、たとえば、電子レンジでの調理の可能性がある場合には、高周波によるスパークなどが発生するために注意を要する。
【００５５】
一方、容器本体（２０）は、開口部を有しており、開口部は、シール部（１９）を、その周縁部に有しており、蓋材（１０）は開口部とその周縁部とを覆って、蓋材（１０）と容器本体（２０）とは、この周縁部でシールされて、シール部（１９）によってカップ型容器（１）は密封されている。
【００５６】
容器本体（２０）の、切り欠き上の凹み（２３）から、容器外側方向に突き出したタブ（１１）には、穴（１２）が設けてあるか、もしくは穴あけ可能な加工が施してある。図１に示す例においては、穴（１２）を設けてある例である。
【００５７】
図２は、本発明に係る易開封機能つきカップ型容器の一実施態様の、開封途中の状態を説明するための斜視模式図である。
【００５８】
図２に示す開封途中の状態において、蓋材（１０）は半分が開封されて、容器本体（２０）の内部が半分露出している状態である。
【００５９】
図２に示す例においては、図１と同様に、容器本体（２０）は楕円形の形状であって、したがって開口部（２１）、および蓋材（１０）もまた楕円形の形状である。
【００６０】
開口部（２１）は、周縁部（２２）を有しており、蓋材（１０）と容器本体（２０）と
は、この周縁部（２２）でシールされて、シール部（１９）を形成し、カップ型容器（１）は密封される。
【００６１】
開口部（２１）は、その一部に、切り欠き状の凹み（２３）を有しており、蓋材（１０）は、この切り欠き状の凹み（２３）の部分で、シール部（１９）から容器外側に突き出した、タブ（１１）を有している。
【００６２】
図１、および図２に示す例においては、切り欠き状の凹み（２３）は、楕円形の長軸の一方に１箇所設けてある例である。なお、必要に応じて、切り欠き状の凹み（２３）と、容器外側に突き出したタブ（１１）は、複数組設けるのでも構わない。
【００６３】
本発明による易開封機能つきカップ型容器（１）の開封に際しては、切り欠き状の凹み（２３）から容器外側に突き出したタブ（１１）を手指でつまんで、図中矢印（２）の方向に引っ張って開封作業を行う。引っ張る力によって、シール部分（１９）が剥離して開封が行われる。
【００６４】
また、図２に示すように、開口部（２１）が半開の状態でも、内容物によっては取り出し可能となるが、さらにタブ（１１）を、図中矢印（３）の方向に引っ張って、蓋材（１０）を容器本体（２０）から分離して、容器本体（２０）の開口部（２１）を全開とすることも可能である。全開にした場合には、開口部（２１）全体が見渡せる上、内容物の取り出しがより容易になる。
【００６５】
この手指による開封作業に際して、開口部（２１）の一部に、切り欠き状の凹み（２３）が設けてあることによって、タブ（１１）は、切り欠き状の凹み（２３）の分だけ面積が大きいために、また切り欠き状の凹み（２３）の中に、指先を差し入れることが可能であるために、タブ（１１）は、よりつまみやすく、また引っ張りやすくなっている。このことが、易開封機能として有効である。
【００６６】
また、タブ（１１）に穴（１２）があることによっても、穴（１２）の部分で指と指が直接触れ合ってつまみやすく、滑りにくく、また引っ張り易くなっており、易開封機能として有効である。
【００６７】
さらに、穴（１２）に、棒状の器具、たとえばスプーンの柄などを差し入れて、棒、またはスプーンの柄などを掴んだまま、タブ（１１）を引っ張ることも可能であって、易開封機能として有効であり、また子供や、指の力の弱い人、或いは高齢者などのバリアフリーニーズにも効果的に対応することができる。
【００６８】
この穴（１２）は、あらかじめ穿孔して設けた穴（１２）であっても良く、また穴あけが可能な加工、たとえば切れ目やミシン目加工が施してあって、容易に穴（１２）を形成可能にするのでもよい。
【００６９】
図３は本発明に係る易開封機能つきカップ型容器の他の実施態様のうち、容器本体が四角形である例を説明するための斜視模式図である。
【００７０】
本発明はカップ型容器（１）であって、易開封機能を有し、蓋材（１０）と容器本体（２０）とからなる。容器本体（２０）の形状は任意であって、多角形や円形もしくは図１、図２で示す楕円形であってもよい。図３に示す例は容器本体（２０）が、略正方形の四角形である例であり、したがって開口部（２１）、また蓋材（１０）も略正方形の四角形の例である。
【００７１】
すなわち、タブ（１１）付きの蓋材（１０）で密封された、カップ型容器（１）において、タブ（１１）がつまみやすく、また、開封においても、蓋材（１０）とカップ型の容器本体（２０）とのシール強度を妨げることなく、より小さな力で開封可能な、易開封機能つきカップ型容器（１）を、四角形状において実現し提供することが可能である。
【００７２】
それに加えて、四角形状の容器は、内容物を効率的に収納できるために、利便性が高い。また、容器それ自身としても積み重ねがしやすく、輸送効率が高いなどの利点があり、一般的にも使用される頻度が高い。したがって、四角形の形状において、本発明を実現することは、より幅広い商品展開を可能にする。
【００７３】
この例においても、容器本体（２０）は、開口部（２１）を有しており、開口部（２１）は、その周縁部（２２）を有しており、蓋材（１０）は開口部（２１）とその周縁部（２２）とを覆って、蓋材（１０）と容器本体（２０）とは、この周縁部（２２）でシールされて、カップ型容器（１）を密封することができる。
【００７４】
本発明においては、たとえば、図３に示す例のように、容器本体（２０）を四角形として、四角形の四隅の内、１箇所以上の隅に切り欠き状の凹み（２３）を設けることができる。
【００７５】
図３に示す例においては、四隅の内１箇所に切り欠き状の凹み（２３）を有している例である。必要であれば、図中四角形の、切り欠き状の凹み（２３）の対角の隅にも、同様の切り欠き状の凹みを設けることができる。
【００７６】
蓋材（１０）は、この切り欠き状の凹み（２３）の部分から、容器外側に突き出したタブ（１１）を有している。前述のように、切り欠き状の凹み（２３）の対角の隅に、同様の切り欠き状の凹みを設ける場合には、その部分の蓋材（１０）にも容器外側に突き出したタブを設けることができる。これによって、開封はどちら側からも行うことが可能である。
【００７７】
図４は本発明に係る易開封機能つきカップ型容器の他の実施態様のうち、容器本体が四角形である例の、またタブが異なる形態の例の、密封した状態を説明するための斜視模式図である。
【００７８】
図３、および図４に示す例においては、容器本体（２０）および開口部（２１）の形状、また蓋材の形状は略正方形の四角形である。但し、図３においては、タブ（１１）には穴（１２）が設けてある例を示した。
【００７９】
一方、図４においては、タブ（１１）には、穴あけ可能な加工として、ミシン目（１５）を設けてある例を示す。このミシン目（１５）を切り裂くことによって、この部分に穴を形成することができる。本発明においては、いずれも使用することができ、適宜選択すればよい。
【００８０】
また、図４に示す例のように、開口部の、切り欠き状の凹み（２３）を有していない部分において、一部のシール幅が他の周縁部分のシール幅より広い、シール幅の広い部分（Ａ）、およびシール幅の広い部分（Ｂ）とすることができる。
【００８１】
ここでは、シール部の幅の広い部分（Ａ）、およびシール部の幅の広い部分（Ｂ）において、シール部（１９）は幅が広くなって、三角形のコーナー部を形成している例である。
【００８２】
この部分は、たとえばカップ型容器（１）の開封において、そのコーナー部分を、蓋材（１０）を引っ張る手とは反対の手で押さえるなどのことを可能にする部分であり、これもまた、カップ型容器（１）の易開封機能に有効である。これについては、図７、および図８を用いた説明で後述する。
【００８３】
図５は本発明に係る易開封機能つきカップ型容器の他の実施態様のうち、容器本体が四角形である例の、開封作業の一例を説明するための斜視模式図である。
【００８４】
前述のように、本発明による易開封機能つきカップ型容器（１）の開封に際しては、切り欠き状の凹み（２３）から容器外側に突き出したタブ（１１）を手指でつまんで、図２中矢印（２）の方向に引っ張って開封作業を行うことができる。
【００８５】
本発明においてはさらに、切り欠き状の凹み（２３）から容器外側に突き出したタブ（１１）に設けられた穴（１２）に、棒状の器具、たとえば箸やスプーンの柄などを差し入れて、引っ張ることも可能である。
【００８６】
図４に示す例においては、手（４０）に持った棒（３０）を穴（１２）に差し入れて、棒の先端を矢印（３１）方向に、および棒の根元を矢印（３２）方向にそれぞれ回転させて、梃子のようにして開封する方法である。
【００８７】
この方法によれば、特に指の力の弱い人、或いは高齢者などのバリアフリーニーズにも対応することができる。この穴（１２）は、あらかじめ穿孔して設けてある穴（１２）であっても良く、穴あけが可能な加工、たとえば切れ目やミシン目加工によって形成した穴でもよい。
【００８８】
図６は本発明に係る易開封機能つきカップ型容器の他の実施態様のうち、容器本体が四角形である例の、開封した状態の一例を説明するための斜視模式図である。
【００８９】
図５に示す状態に続いて、手（４０）に持った棒（３０）によって、開封作業が行われ、棒（３０）を握ったまま、図６中矢印（３４）方向に蓋材（１０）と一緒に引き、カップ型容器（１）の開封作業を容易に行なうことができる。
【００９０】
これにより、開口部（２１）は大きく露出して、内容物（３３）の容易な取り出しが可能になる。このようにして、本発明によれば、タブ（１１）付きの蓋材（１０）で密封された、カップ型容器（１）において、タブ（１１）がつまみやすく、また、開封においても、蓋材（１０）とカップ型の容器本体（２０）とのシール強度を妨げることなく、より小さな力で開封可能な、易開封機能つきカップ型容器（１）を提供することが可能である。
【００９１】
図７は本発明に係る易開封機能つきカップ型容器の他の実施態様のうち、容器本体が四角形である例において、蓋材に切れ目を設けた例を説明するための斜視模式図である。
【００９２】
また、本発明において、図７に示す例のように、開口部の、切り欠き状の凹み（２３）を有していない部分において、シール部（１９）から容器外側に突き出した小タブ（１３）を設けることができる。小タブ（１３）は、従来知られた形状のタブであって、通常の場合、あるいは健常者の場合には問題なく受け入れられるものである。
【００９３】
尚、図７においては、シール部（１９）のほか、タブ（１１）、小タブ（１３）など、シール等で内容物が接しない範囲（１８）を斜線の領域で示す。
【００９４】
本発明よる切り欠き状の凹み（２３）部分に設けたタブ（１１）のほか、小タブ（１３）有していることによって、より小さな力で開封可能な、易開封機能つきカップ型容器（１）を提供することが可能であるとともに、小タブ（１３）によって、従来の開封方法を選択することが可能であり、様々な人に受け入れられる、多様性に富んだ開封が可能なカップ型容器（１）とすることができる。
【００９５】
また、図７に示す例において、シール部（１９）のうち、シール部の幅の広い部分（Ａ）、およびシール部の幅の広い部分（Ｂ）において、切れ目（１４）が設けてある。これは、蓋材（１０）を引っ張って開封した場合に、この切れ目（１４）より外側のコーナー部分では蓋材（１０）は剥離せずに、蓋材（１０）と切り離されて、容器本体（２０）側に残留することを可能にする。
【００９６】
この残留によって、たとえばこの部分を、蓋材（１０）を引っ張って開封しようとする手とは反対側の手で押さえることによって、開封作業をより容易に安定して行なうことが可能となり、易開封機能の向上、安定化に効果的である。
【００９７】
またこの切れ目（１４）は、図７中斜線部分、すなわちシール等で内容物が接しない範囲（１８）に設けてあって、蓋材（１０）を貫通している場合においても、内容物に対する密封性、保存性などの影響はない。
【００９８】
図８は本発明に係る易開封機能つきカップ型容器の一実施態様のうち、容器本体が四角形である例において、蓋材にハーフカットの切れ目を設けた例を説明するための斜視模式図である。
【００９９】
また、本発明において、図７と同様に、図８に示す例のように、開口部の、切り欠き状の凹み（２３）を有していない部分において、シール部から容器外側に突き出した小タブ（１３）を設けることができる。
【０１００】
尚、図８においても、シール部（１９）のほか、タブ（１１）、小タブ（１３）などシール等で内容物が接しない範囲（１８）を斜線の領域で示す。
【０１０１】
本発明よる切り欠き状の凹み（２３）部分に設けたタブ（１１）のほか、小タブ（１３）有していることによって、より小さな力で開封可能な、易開封機能つきカップ型容器（１）を提供することが可能であるとともに、小タブ（１３）によって、従来の開封方法を選択することが可能であり、様々な人に受け入れられる、多様性に富んだ開封が可能なカップ型容器（１）とすることができる。
【０１０２】
また、図８に示す例において、シール部（１９）は特にシール幅の広い部分をコーナー部に設けたりはしていない。また図７に示す切れ目（１４）に替えて、ハーフカット（１６）を設けてある。
【０１０３】
この部分もまた、これは、蓋材（１０）を引っ張って開封した場合に、このハーフカット（１６）より外側のコーナー部分では、蓋材（１０）は剥離せずに、蓋材（１０）と切り離されて、容器本体（２０）側に残留することを可能にする。
【０１０４】
この残留によって、たとえばこの部分を、蓋材（１０）を引っ張って開封しようとする手とは反対側の手で押さえることによって、開封作業をより容易に安定して行なうことが可能となり、易開封機能の向上に効果的である。
【０１０５】
またこのハーフカット（１６）は、蓋材（１０）を貫通せずにハーフカットで設けてあ
るために、ガスバリア層などにカットが及ばない範囲において、内容物に対する密封性、保存性などの影響はない。
【０１０６】
また、前述のように、本発明による易開封機能つきカップ型容器（１）の蓋材（１０）は、金属箔もしくは無機化合物の蒸着層からなるガスバリア層を含む層構成とすることができる。
【０１０７】
これは、たとえば内容物の保存性を向上させることなどを目的として、プラスチックフィルムの表面にガスバリア層を設けてなるガスバリアフィルムを層構成中に用いることができる。
【０１０８】
ガスバリアフィルムの場合には、用いられるプラスチックフィルムは、高分子樹脂組成物からなるフィルムであって、たとえばポリオレフィン（ポリエチレン、ポリプロピレン等）、ポリエステル（ポリエチレンテレフタレート、ポリブチレンテレフタレート、ポリエチレンナフタレート等）、ポリアミド（ナイロンー６、ナイロンー６６等）、ポリイミドなどが使用でき、用途に応じて適宜選択される。特にポリプロピレン、ポリエチレンテレフタレートをプラスチックフィルム基材とする場合は、フィルム強度と価格においてより好ましい。
【０１０９】
ガスバリアフィルムの場合、ガスバリア層は無機化合物の蒸着層、コーティング層で構成することができ、プラスチックフィルムにアンカーコートを設けた後、蒸着層、コーティング層を順次設ける。
【０１１０】
ガスバリアフィルムのアンカーコート層には、例えばウレタンアクリレートを用いることができる。アンカーコート層の形成には、樹脂を溶媒に溶解した塗料をグラビアコーティングなど印刷手法を応用したコーティング方法を用いるほか、一般に知られているコーティング方法を用いて塗膜を形成することができる。
【０１１１】
蒸着層を形成する方法としては，ＳｉＯやＡｌＯなどの無機化合物を真空蒸着法を用いて、アンカーコート層を設けたプラスチックフィルム上にコーティングし、真空蒸着法による無機化合物層を形成することができる。ちなみに蒸着層の厚みは１５ｎｍ〜３０ｎｍが良い。
【０１１２】
コーティング層を形成する方法としては、水溶性高分子と、（ａ）一種以上のアルコキシドまたはその加水分解物、または両者、あるいは（ｂ）塩化錫の、少なくともいずれかひとつを含む水溶液あるいは水／アルコール混合水溶液を主剤とするコーティング剤をフィルム上に塗布し、加熱乾燥してコーティング法による無機化合物層を形成しコーティング層とすることができる。このときコーティング剤にはシランモノマーを添加しておくことによってアンカーコート層との密着の向上を図ることができる。
【０１１３】
無機化合物層は真空蒸着法による塗膜のみでもガスバリア性を有するが、コーティング法による無機化合物層であるコーティング層を真空蒸着法による無機化合物層である蒸着層に重ねて形成し、ガスバリア層とすることができる。
【０１１４】
これら２層の複合により、真空蒸着法による無機化合物層とコーティング法による無機化合物層との界面に両層の反応層を生じるか、或いはコーティング法による無機化合物層が真空蒸着法による無機化合物層に生じるピンホール、クラック、粒界などの欠陥あるいは微細孔を充填、補強することで、緻密構造が形成される。
【０１１５】
そのため、ガスバリアフィルムとしてより高いガスバリア性、耐湿性、耐水性を実現す
るとともに、外力による変形に耐えられる可撓性を有するため、蓋材としての適性も具備することができる。
【０１１６】
またガスバリア層として、たとえばＳｉＯを用いる場合にはその被膜は透明であるために、内容物を蓋材の外側から目で見ることが可能である。ガスバリアフィルム、あるいは金属箔は、用途、要求品質によって適宜使い分けをすればよい。
【０１１７】
また、容器本体は、ガスバリア層を層構成に含むか、もしくは表面に設けることができる。これは、蓋材の場合と同様に、たとえば内容物の保存性を向上させることなどを目的とする。
【０１１８】
たとえば、容器本体を構成する層中にエチレン・ビニルアルコール共重合樹脂をガスバリア層として設けることも有効であり、また容器本体に対してその表面にガスバリア性のある樹脂材料をコーティングして、ガスバリア層を形成するのでもよい。
【０１１９】
このように、本発明による易開封機能つきカップ型容器によれば、タブ付きの蓋材で密封された、カップ型容器において、タブがつまみやすく、また、開封においても、蓋材とカップ型容器本体とのシール強度を妨げることなく、より小さな力で開封可能な、易開封機能つきカップ型容器を提供することが可能である。
【符号の説明】
【０１２０】
１・・・カップ型容器
２・・・矢印
３・・・矢印
１０・・・蓋材
１１・・・タブ
１２・・・穴
１３・・・小タブ
１４・・・切れ目
１５・・・ミシン目
１６・・・ハーフカット
１７・・・通常のシール幅の部分
１８・・・シール等で内容物が接しない範囲
１９・・・シール部
２０・・・容器本体
２１・・・開口部
２２・・・周縁部
２３・・・切り欠き状の凹み
３０・・・棒
３１・・・矢印
３２・・・矢印
３３・・・内容物
３４・・・矢印
４０・・・手
Ａ・・・シール部の幅の広い部分
Ｂ・・・シール部の幅の広い部分
【図１】
2020075724.tif 000003
【図２】
2020075724.tif 000004
【図３】
2020075724.tif 000005
【図４】
2020075724.tif 000006
【図５】
2020075724.tif 000007
【図６】
2020075724.tif 000008
【図７】
2020075724.tif 000009
【図８】
2020075724.tif 000010